(57)【要約】【課題】ユーザが撮影することを忘れないようにするための撮影装置、及び表示制御方法を提供する。【解決手段】被写体を撮影する撮影手段と、所定の情報を表示する表示手段と、予め定められた日付を示す日付情報、及び所定期間を示す所定期間情報が記憶された記憶手段と、現在の日付を取得する日付取得手段と、前記日付取得手段により取得された日付と、前記記憶手段に記憶された日付情報が示す日付との差を算出する算出手段と、前記算出手段により算出された差が、前記所定期間より少ない場合に、ユーザに対して前記撮影手段による撮影を促す内容を前記表示手段により表示させるように制御する制御手段と、を有する。【選択図】図４
2008242065.tif 000002
【特許請求の範囲】
【請求項１】
被写体を撮影する撮影手段と、
所定の情報を表示する表示手段と、
予め定められた日付を示す日付情報、及び所定期間を示す所定期間情報が記憶された記憶手段と、
現在の日付を取得する日付取得手段と、
前記日付取得手段により取得された日付と、前記記憶手段に記憶された日付情報が示す日付との差を算出する算出手段と、
前記算出手段により算出された差が、前記所定期間より少ない場合に、ユーザに対して前記撮影手段による撮影を促す内容を前記表示手段により表示させるように制御する制御手段と、
を有する撮影装置。
【請求項２】
前記制御手段は、前記日付取得手段により取得された日付である第１の日付と、前記予め定められた日付ある第２の日付とが一致する場合には、前記第１の日付と前記第２の日付とが異なる場合に比較して、前記撮影を促す内容を前記表示手段により表示させる頻度を高くするように制御する請求項１に記載の撮影装置。
【請求項３】
前記制御手段は、前記予め定められた日付が、前記日付取得手段により取得された日付より過去の日付である場合にも、前記撮影を促す内容を前記表示手段により表示させるように制御する請求項１又は請求項２に記載の撮影装置。
【請求項４】
現在の日付を取得する日付取得段階と、
前記日付取得段階により取得された日付と、記憶手段に記憶された日付情報が示す日付との差を算出する算出段階と、
前記算出段階により算出された差が、前記記憶手段に記憶された所定期間の長さより少ない場合に、ユーザに対して撮影手段による撮影を促す内容を表示手段により表示させるように制御する制御段階と、
を有する表示制御方法。
【発明の詳細な説明】
【技術分野】
【０００１】
本発明は、撮影装置、及び表示制御方法に関し、特に予め定められた日付に撮影することをユーザが忘れないようにするための撮影装置、及び表示制御方法に関する。
【背景技術】
【０００２】
誕生日などの予め定められた日付に撮影することは良く行われることである。そこで、特許文献１には、人に関連する特定の事象の発生を契機として催される複数の行事を管理する機能を有する行事管理機能付き電子機器及び撮像装置が開示されている。
【特許文献１】特開２００２−２６２１５０号公報
【発明の開示】
【発明が解決しようとする課題】
【０００３】
上述した行事などの予め定められた日は、ユーザは行事に気をとられて撮影を忘れることがあるという問題点があった。
【０００４】
本発明は上記問題点に鑑み、予め定められた日にユーザが撮影することを忘れないようにするための撮影装置、及び表示制御方法を提供することを目的とする。
【課題を解決するための手段】
【０００５】
上記課題を解決するために、請求項１の発明は、被写体を撮影する撮影手段と、所定の情報を表示する表示手段と、予め定められた日付を示す日付情報、及び所定期間を示す所定期間情報が記憶された記憶手段と、現在の日付を取得する日付取得手段と、前記日付取得手段により取得された日付と、前記記憶手段に記憶された日付情報が示す日付との差を算出する算出手段と、前記算出手段により算出された差が、前記所定期間より少ない場合に、ユーザに対して前記撮影手段による撮影を促す内容を前記表示手段により表示させるように制御する制御手段と、を有する。
【０００６】
請求項１の発明によれば、記憶手段には予め定められた日付を示す日付情報、及び所定期間を示す所定期間情報が記憶されており、日付取得手段が現在の日付を取得し、算出手段が前記日付取得手段により取得された日付と、前記記憶手段に記憶された日付情報が示す日付との差を算出し、制御手段が前記算出手段により算出された差が、前記所定期間より少ない場合に、ユーザに対して撮影手段による撮影を促す内容を表示手段により表示させるように制御するので、予め定められた日にユーザが撮影することを忘れないようにすることができる。
【０００７】
なお、請求項２の発明のように、前記制御手段は、前記日付取得手段により取得された日付である第１の日付と、前記予め定められた日付ある第２の日付とが一致する場合には、前記第１の日付と前記第２の日付とが異なる場合に比較して、前記撮影を促す内容を前記表示手段により表示させる頻度を高くするように制御するようにしても良い。
【０００８】
請求項２の発明によれば、第１の日付と第２の日付とが一致する、すなわち予め定められた日付当日は、当日ではない日と比較して、撮影を促す内容を表示する頻度を高めることで、よりユーザが忘れないようにすることができる。
【０００９】
なお、請求項３の発明のように、前記制御手段は、前記予め定められた日付が、前記日付取得手段により取得された日付より過去の日付である場合にも、前記撮影を促す内容を前記表示手段により表示させるように制御するようにしても良い。
【００１０】
請求項３の発明によれば、予め定められた日付が過去の日付となっても撮影を促す内容を表示することで、ユーザが撮影することを忘れないようにすることができる。
【００１１】
上記課題を解決するために、請求項４の発明は、現在の日付を取得する日付取得段階と、前記日付取得段階により取得された日付と、記憶手段に記憶された日付情報が示す日付との差を算出する算出段階と、前記算出段階により算出された差が、前記記憶手段に記憶された所定期間の長さより少ない場合に、ユーザに対して撮影手段による撮影を促す内容を表示手段により表示させるように制御する制御段階と、を有する。
【００１２】
請求項４の発明は、請求項１の発明と同様に作用するため、請求項１の発明と同様の効果が得られる。
【発明の効果】
【００１３】
本発明によれば、予め定められた日にユーザが撮影することを忘れないようにするための撮影装置、及び表示制御方法を提供することができるという効果が得られる。
【発明を実施するための最良の形態】
【００１４】
以下、図面を参照して、本発明の実施の形態について詳細に説明する。
【００１５】
まず、図１を参照して、本実施の形態に係るデジタルカメラ１０の外観上の構成を説明する。デジタルカメラ１０の正面には、被写体像を結像させるための光学部材であるレンズ２１と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００１６】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００１７】
そして、デジタルカメラ１０では、レリーズボタン５６Ａを半押し状態にすることにより被写体の明るさが測光され、測光された被写体の明るさに基づきＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００１８】
一方、デジタルカメラ１０の背面には、前述のファインダ２０の接眼部と、撮影された被写体像やメニュー画面等を表示するための上記ＬＣＤ３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、が備えられている。
【００１９】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２０】
なお、十字カーソルボタン５６Ｄは、ＬＣＤ３８の表示領域における上・下・左・右の４方向の移動方向を示す４つの矢印キーと、それら矢印キーの中央に存在する決定キーとを含んで構成されている。
【００２１】
次に、図２を参照して、本実施の形態に係るデジタルカメラ１０の電気系の構成を説明する。
【００２２】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２３】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２４】
なお、デジタル信号処理部３０は、所定容量のラインバッファを内蔵し、入力されたデジタルデータを後述するメモリ４８の所定領域に直接記憶させる制御も行う。
【００２５】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００２６】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。
【００２７】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、を含んで構成されている。
【００２８】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００２９】
デジタル信号処理部３０、ＬＣＤインタフェース３６、ＣＰＵ４０、メモリインタフェース４６、外部メモリインタフェース５０、及び圧縮・伸長処理回路５４はシステムバスＢＵＳを介して相互に接続されている。従って、ＣＰＵ４０は、デジタル信号処理部３０及び圧縮・伸長処理回路５４の作動の制御、ＬＣＤ３８に対するＬＣＤインタフェース３６を介した各種情報の表示、メモリ４８及びメモリカード５２へのメモリインタフェース４６、外部メモリインタフェース５０を介したアクセスを各々行うことができる。
【００３０】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３１】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３２】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００３３】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００３４】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００３５】
また、図示されていないが、本実施の形態に係るデジタルカメラ１０には、時計が内蔵されている。
【００３６】
次に、本実施の形態に係るデジタルカメラ１０の撮影時における全体的な動作について簡単に説明する。
【００３７】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００３８】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００３９】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００４０】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４１】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４２】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に記録する。
【００４３】
次に、図３を用いて日付情報及び所定期間情報について説明する。この日付情報及び所定期間情報は上述したフラッシュメモリやメモリカード５２に記録されている情報である。この記録されている情報は、同図に示されるように、日付（日付情報）、所定期間（所定期間情報）、及び名前を含む。
【００４４】
上記日付は、右から１、２桁目で日にち、３、４桁目で月、５〜８桁目で西暦を表す。同図の場合、２００７年３月１日を表している。所定期間は、何日前から撮影を促す内容を表示するかを示すもので、単位は日である。同図の場合、７日を示している。従って、同図では、予め定められた日付である２００７年３月１日の７日前である２００７年２月２２日から撮影を促す内容が表示される。なお、名前は後述する撮影を促す内容に表示するためのものである。
【００４５】
なお、上述した日付、所定期間、及び名前は、テキストデータであるので、メモリカード５２にパソコンで各情報を書き込んだ後に、デジタルカメラ１０にセットするようにしても良い。
【００４６】
以下、上記ＣＰＵ４０により実行される処理について説明する。以下に説明する処理は、例えばデジタルカメラ１０を起動したときに実行されるものであるが、予め定めた時刻に自動的に実行されるようにしても良い。
【００４７】
まず、図４を用いて、現在の日付と日時情報が示す日付との差が、所定期間の長さより少ない場合にユーザに対して撮影を促す内容をＬＣＤ３８により表示させるように制御する処理について説明する。
【００４８】
まずステップ１０１で、日付及び所定期間情報が設定済みか否か判断する。この判断は、上述した日付情報、及び所定期間情報が記憶されているか否かで判断する。
【００４９】
このステップ１０１で否定判断した場合には、そのまま処理を終了する。一方、ステップ１０１で肯定判断した場合には、ステップ１０２で上記日付情報を取得し、次のステップ１０３で、上記所定期間情報を取得する。
【００５０】
更にステップ１０４で、現在の日付を取得する。現在の日付は、デジタルカメラ１０に内蔵された時計から取得することができる。次のステップ１０５で、現在の日付と日付情報が示す日付との差を算出する。具体的に例えば、日付情報が示す日付が２００７年３月２０日で、現在の日付が２００７年３月１５日であれば、５日が差となる。
【００５１】
次のステップ１０６で、差が所定期間の長さより少ないか否か判断する。ステップ１０６で否定判断した場合には、そのまま処理を終了し、ステップ１０６で肯定判断した場合には、ステップ１０７で撮影を促す内容をＬＣＤ３８に表示して処理を終了する。
【００５２】
このとき表示される撮影を促す内容の例を、図５に示す。図５には、「○月○日は大事な日です、撮影を忘れないようにして下さい」と撮影を促す内容が示されている。この○月○日には、上記日付情報に記憶されている日付が入り、その他の文は、定型文としてフラッシュメモリやメモリカード５２に記録されている。
【００５３】
次に、現在の日付と日付情報が示す日付とが一致した場合に撮影を促す内容を表示させる頻度を高くする処理と、現在の日付が、日付情報に示される日付より過去の日付である場合にも、撮影を促す内容を表示する処理について、図６のフローチャートを用いて説明する。
【００５４】
まずステップ２０１で、日付及び所定期間情報が設定済みか否か判断する。この判断は、上述した日付情報、及び所定期間情報が記憶されているか否かで判断する。
【００５５】
このステップ２０１で否定判断した場合には、そのまま処理を終了する。一方、ステップ２０１で肯定判断した場合には、ステップ２０２で上記日付情報を取得し、次のステップ２０３で、上記所定期間情報を取得する。
【００５６】
更にステップ２０４で、現在の日付を取得する。現在の日付は、上述したようにデジタルカメラ１０に内蔵された時計から取得することができる。次のステップ２０５で、現在の日付と日付情報が示す日付とが一致するか否か判断する。ステップ２０５で肯定判断した場合には、ステップ２１０で撮影を促す内容をＬＣＤ３８に表示し、ステップ２１１でタイマをセットする。このタイマは、表示する頻度に応じて定まる時間を計測するタイマであり、例えば、１時間毎に表示する場合には、１時間のタイマをセットする。
【００５７】
次のステップ２１２で、タイムアウトか否か判断し、タイムアウトと判断した場合、上記ステップ２０２に戻る。ステップ２０２まで戻る理由は、日付が変わっている可能性があるためである。このように、タイマをセットしてループ処理をさせることで、日付と日付情報が示す日付とが一致した場合に撮影を促す内容を表示させる頻度を高くするように制御する。なお、日付と日付情報が示す日付とが異なる場合は、起動時のみの表示となる。
【００５８】
上述したステップ２０５の説明に戻り、このステップ２０５で否定判断した場合、ステップ２０６で、現在の日付が日付情報が示す日付の一日後か否か判断する。ステップ２０６で、肯定判断した場合、ステップ２１３で撮影を促す内容を表示し、処理を終了する。このように、現在の日付が、日付情報に示される日付より過去の日付である場合にも、撮影を促す内容を表示するように制御する。
【００５９】
一方、ステップ２０６で否定判断した場合、次のステップ２０７で、現在の日付と日付情報が示す日付との差を算出する。次のステップ２０８で、差が所定期間の長さより少ないか否か判断する。ステップ２０８で否定判断した場合には、そのまま処理を終了し、ステップ２０８で肯定判断した場合には、ステップ２０９で撮影を促す内容をＬＣＤ３８に表示して処理を終了する。
【００６０】
以上説明したフローチャートでは、いくつかのステップで撮影を促す内容を表示する処理があった。これらの表示内容について説明する。まず、ステップ２０９で表示内容は、図５に示したものである。
【００６１】
ステップ２１０での表示内容を、図７を用いて説明する。図７（Ａ）には、「本日は○○ちゃんの誕生日です、撮影して下さい」と撮影を促す内容が示されている。この「○○」に上記フラッシュメモリやメモリカード５２に記憶されている名前が表示される。また、図７（Ｂ）に示されるように、「本日は○○ちゃんの誕生日です、後、△△時間で今日が終わります、早く撮影して下さい」と撮影を促す内容が示されている。このように、本日の残り時間を表示するようにしても良い。この場合、上記図６に示したフローチャートで残り時間を計算する処理が加わる。
【００６２】
ステップ２１３での表示内容を、図８を用いて説明する。図８には、「昨日は○○ちゃんの誕生日でしたが、撮影が行われませんでした、一刻も早く撮影して下さい」という内容が表示されている。
【００６３】
このように、日付情報に示される日付より過去の日付である場合には、図８に示す内容が表示される。
【図面の簡単な説明】
【００６４】
【図１】本実施の形態に係るデジタルカメラの外観上の構成を示す図である。
【図２】本実施の形態に係るデジタルカメラの電気系の構成を示す図である。
【図３】日時情報、及び所定期間情報を示す図である。
【図４】撮影を促す内容を表示する処理を示すフローチャートである（その１）。
【図５】撮影を促す内容を示す図である（その１）。
【図６】撮影を促す内容を表示する処理を示すフローチャートである（その２）。
【図７】撮影を促す内容を示す図である（その２）。
【図８】撮影を促す内容を示す図である（その３）。
【符号の説明】
【００６５】
１０  デジタルカメラ
３８  ＬＣＤ
４０  ＣＰＵ
４８  メモリ
５２  メモリカード
【図１】
2008242065.tif 000003
【図２】
2008242065.tif 000004
【図３】
2008242065.tif 000005
【図４】
2008242065.tif 000006
【図５】
2008242065.tif 000007
【図６】
2008242065.tif 000008
【図７】
2008242065.tif 000009
【図８】
2008242065.tif 000010